(57)【要約】【目的】  簡単な構成により、エッジワイズコイルを巻芯軸にしっかりと巻回して、巻回後には巻芯軸からエッジワイズコイルを容易に抜き取ることができるようにする。【構成】  垂直に配置され、モータを駆動源として回転する回転軸と、その回転軸の軸方向に、互いに間隔をあけて穿設された複数の孔部にそれぞれ上方から差し込まれる２本の巻芯軸と、その一体に設けられた各巻芯軸の上部に装着される重錘とからなり、回転軸の上端面に沿うように横方向に送られる平角線の始端を回転軸の上端面と重錘との間に挟持させて、回転軸の回転により重錘とともに巻芯軸を押し上げながら、巻芯軸のまわりに平角線を巻回していくように構成する。【選択図】      図１
2005109420.tif 000002
【特許請求の範囲】
【請求項１】
垂直に配置され、モータを駆動源として回転する回転軸と、その回転軸の軸方向に互いに間隔をあけて穿設された各孔部に、それぞれ上方から差し込まれる２本の巻芯軸と、その一対に設けられた各巻芯軸の上部に装着される重錘とからなり、回転軸の上端面に沿うように横方向に送られる平角線を回転軸の上端面と重錘との間に挟持させて、回転軸の回転により重錘とともに巻芯軸を押し上げながら、巻芯軸のまわりに平角線を巻回していくように構成したことを特徴とする巻線装置。
【請求項２】
垂直に配置され、モータを駆動源として回転する回転軸と、その回転軸の軸方向に穿設された偏平断面状の孔部に、それぞれ上方から差し込まれる２本の巻芯軸と、その各巻芯軸の間の隙間に抜き差し自在に挿入されるスペーサと、その一対に設けられた各巻芯軸の上部に装着される重錘とからなり、回転軸の上端面に沿うように横方向に送られる平角線を回転軸の上端面と重錘との間に挟持させて、回転軸の回転により重錘とともに巻芯軸を押し上げながら、巻芯軸のまわりに平角線を巻回していくように構成したことを特徴とする巻線装置。
【請求項３】
回転軸の上端面と水平になる位置に平角線の受け面がくるように、軸受によって回転自在に取り付けられた受台が配設され、その受台上におもりが上下動可能なように取り付けられたテンション機構韻を平角線の供給系統に設け、その受け面とおもりとの間に平角線を厚み方向に挟んで、巻回時のテンションを生じさせるようにしたことを特徴とする請求項１または請求項２の記載による巻線装置。
【請求項４】
回転軸の上端面の近傍に、送られてくる平角線をその回転軸の上端面に制する押え部材を設けたことを特徴とする請求項１または請求項２の記載による巻線装置。
【発明の詳細な説明】
【発明の詳細な説明】
【産業上の利用分野】
【０００１】  本発明は、エッジワイズコイルを巻回する巻線装置に関する。
【背景技術】
【０００２】  従来、平角線を幅方向に巻回してエッジワイズコイルを得る巻線装置として、モータによって回転駆動される断面円形状の巻芯軸に固定駒を一体に回転するように取り付けるとともに、その巻芯軸にスライド駆動機構によって軸方向にスライドする押え駒を設けて、平角線を板間に挟むことによって一定のテンションがかけられて送られてくる平角線を、押え駒により軸方向に一定の押圧力を加えながら、固定駒と押え駒との間の巻芯軸に平角線を巻回していくようにしている（例えば、特許文献１参照）。【０００３】
【特許文献１】  特開２００１−７１０７８号公報（図２の構成参照）
【０００４】  このような巻線装置では、固定駒を巻芯軸から取り外して、巻芯軸に巻回されたエッジワイズコイルを抜き取るようにしているが、その際、一定のテンションがかけられて送られてくる平角線を、押え駒により軸方向に押圧力を加えながら巻芯軸にしっかりとエッジワイズコイルを巻回するようにしているので、巻回されたエッジワイズコイルを巻芯軸から抜き取るのが困難になっている。【０００５】  また、従来、前述と同様に構成された巻線装置にあって、巻芯軸の一端部分に横方向の穴をあけて、その穴から軸方向にスリットを他端にまで切削した２つ割り構造として、コイル巻回後にそのスリットを狭めるように巻芯軸を撓ませることによって、巻芯軸に巻回されたエッジワイズコイルの抜き取りを容易に行うことができるようにしている（例えば、特許文献２参照）。【０００６】
【特許文献２】  特開２００２−１８４６３９号公報（図１の１１Ａ、１１Ｂの構成参照）
【発明が解決しようとする課題】
【０００７】  解決しようとする問題点は、巻芯軸に軸方向にスライドする押え駒を設けて、平角線の巻回状態に応じて常に一定の押圧力を加えるように押え駒を後退させながら固定駒と押え駒との間の巻芯軸に平角線を巻回していくようにするのでは、平角線の巻回状態に応じて押え駒を後退させるためのスライド駆動機構を必要として、巻線装置の構成が複雑になっていることである。
【０００８】  そして、従来の巻線装置では、エッジワイズコイルの巻回後に、巻芯軸にネジ止めされている固定駒を取り外したうえで、巻芯軸からエッジワイズコイルを抜き取るようにしており、その作業が煩雑になっているとともに、巻芯軸にしっかりと巻回されたエッジワイズコイルを抜き取るのが困雕になっていることである。
【０００９】  また、巻芯軸に巻回されたエッジワイズコイルの抜き取りを容易に行わせことができるように、巻芯軸の軸方向にスリットを形成しておいて、そのスリットを狭めるように巻芯軸を撓ませることによってエッジワイズコイルを抜き取るようにするのでは、スリットが形成されているために巻芯軸自体の剛性が損なわれて、それにしっかりとエッジワイズコイルを巻回させることができなくなってしまうという問題がある。
【課題を解決するための手段】
【００１０】  本発明は、エッジワイズコイルを巻回する巻線装置にあって、簡単な構成によって、エッジワイズコイルを巻芯軸にしっかりと巻回することができるとともに、その抜き取りを容易に行わせることができるような手段を講ずるようにしている。
【００１１】  具体的には、垂直に配置され、モータを駆動源として回転する回転軸と、その回転軸の軸方向に、互いに間隔をあけて穿設された複数の孔部にそれぞれ上方から差し込まれる２本の巻芯軸と、その一対に設けられた各巻芯軸の上部に装着される重錘とによって巻線装置を構成し、回転軸の上端面に沿うように横方向に送られる平角線を回転軸の上端面と重錘との間に挟持させて、回転軸の回転により重錘とともに巻芯軸を押し上げながら、巻芯軸のまわりに平角線を巻回していくようにしている。
【００１２】  また、特に、コイル巻回時における一対に設けられた各巻芯軸自体の剛性をより高めることができる構造とするために、垂直に設けられた回転軸の軸方向に偏平断面状の孔部を穿設して、その孔部にそれぞれ上方から２本の巻芯軸を差し込んだうえで、その各巻芯軸の間の隙間にスペーサを抜き差し自在にスペーサを挿入するようにしている。
【実施例】
【００１３】  本発明による巻線装置にあっては、図１に示すように、その本体部分が、架台１の上部にネジ止めされた軸受２によって回転自在に垂直方向に配設された回転軸３と、架台１の下部にネジ止めされたパルスモータ４と、回転軸３とパルスモータ４の回転軸４１とを連結するカップリング５と、回転軸３の軸方向に、互いに間隔をあけて穿設された孔部６１，６２（図２参照）にそれぞれ上方から緩く差し込まれる２本の巻芯軸７１，７２と、その一対の巻芯軸７１，７２の上部に止めネジ８によって着脱自在に装着される重錘９（図３参照）とによって構成されている。【００１４】  また、回転軸３の上端面をコイル受け面として、その面と水平になる位置に平角線１０の受け面がくるように受台１１が配設され、その受台１１上におもり１２がガイド１３によって上下動可能なように取り付けられたテンション機構部１４を平角線１０の供給系統に設け、その受台１１とおもり１２との間に平角線１０を厚み方向に挟んで、巻回時のテンションを生じさせるようにしている。【００１５】  そのテンション機構部１４における受台１１は、架台１上にネジ止めされた軸受１５によって回転自在に取り付けられて、テンションがかけられた平角線１０をスムーズに送り出すことができるようにしている。【００１６】  したがって、このテンション機構部１４により、簡単な構造をもって、常にばらつきのない一定したテンションを平角線１０にかけることができる。【００１７】  そして、回転軸３の上端面の近傍に、平角線１０をその回転軸３の上端面に制する押え部材１６を設けて、送られてくる平角線１０の厚み方向の脈動を抑制するようにしている。【００１８】  このような構成による巻線装置では、テンション機構部１４によって一定のテンションがかけられ、押え部材１６によって押え付けられて、回転軸３のコイル受け面（上端面）に沿うように横方向に送られる平角線１０の始端を重錘９の側面に設けたネジ１９にからげて仮止めしたうえで、その平角線１０を重錘９の自重により回転軸３のコイル受け面と重錘９との間に挟持させたうえで、回転軸３を回転させると、その回転に応じて重錘９とともに巻芯軸７１，７２を押し上げながら、その一対の巻芯軸７１，７２のまわりに平角線１０が巻回されていく。【００１９】  平角線１０を所定数巻回して目的とするエッジワイズコイル１７が得られたら、そのエッジワイズコイル１７が巻回された一対の巻芯軸７１，７２を重錘９とともに回転軸３の上方に引き抜く。そして、その状態のままで次工程の加熱融着治具にセットして、エッジワイズコイル１７の加熱融着を行う。【００２０】  その融着後に、図４に示すように、重錘９が取り付けられた一対の巻芯軸７１，７２にエッジワイズコイル１７が巻回された状態のままで、各巻芯軸７１，７２の自由端部分に両側から外力Ｆを加えて相対する方向にたわませて各巻芯軸７１，７２とエッジワイズコイル１７との間に隙間を作ることにより、エッジワイズコイル１７を容易に抜き取ることができる。【００２１】  また、比較的強いテンションをもって平角線１０を巻回していく際に、互いに隙間が空けて設けられている一対の巻芯軸７１，７２がたわむことがないように、その各巻芯軸７１，７２の剛性を高めるようにしている場合には、止めネジ８を緩めて重錘９を取り外したうえで、巻芯軸７１，７２の自由端部分に隙間を狭めるように外力を加えることによって、エッジワイズコイル１７を容易に抜き取ることができるようになる。【００２２】  図５は、本発明による巻線装置によって巻回されたエッジワイズコイル１７を示している。【００２３】  また、図６および図７は本発明による巻線装置の他の構成例を示している。【００２４】  ここでは、特に、巻芯軸７１，７２をたわませることによりエッジワイズコイル１７を容易に抜き取ることができるようにする場合、比較的強いテンションをもって平角線１０を巻回していく際に一対に設けられた巻芯軸７１，７２がたわむことがないように、垂直に設けられた回転軸３の軸方向に断面偏平円状の孔部６を穿設して、その孔部６内にそれぞれ上方から２本の巻芯軸７１，７２を差し込んだうえで、その各巻芯軸７１，７２のあいだの隙間にスペーサ１８を抜き差し自在に挿入した構造としている。【００２５】  このような構造によれば、平角線１０の巻回時に、一対に設けられた巻芯軸７１，７２の間がスペーサ１８によって補填されているので各巻芯軸７１，７２がたわむことがなくなり、比較的強いテンションがかけられた平角線１０をしっかりと巻回していくことができる。【００２６】  そして、巻回後には、エッジワイズコイル１７が巻回された一対の巻芯軸７１，７２およびスペーサ１８を重錘９とともに回転軸３の上方に引き抜いた状態のままで、加熱融着後にスペーサ１８を下方に引き出したうえで、巻芯軸７１，７２の自由端部分を相対する方向にたわませることによって、エッジワイズコイル１７を容易に抜き取ることができるようになる。
【発明の効果】
【００２７】  以上、本発明による巻線装置によれば、エッジワイズコイルを巻回するに際して、簡単な構成により、エッジワイズコイルを巻芯軸にしっかりと巻回することができ、巻回後には巻芯軸からエッジワイズコイルを容易に抜き取ることができるという利点を有してぃる。
【図面の簡単な説明】
【図１】  本発明による巻線装置の一実施例を示す正断面図である。
【図２】  同実施例における回転軸の軸方向に互いに間隔をあけて穿設された２つの孔部を示す平面図である。
【図３】  同実施例におけるエッジワイズコイルが巻回される一対の巻芯軸の上部に重錘が取り付けられた部分を示す側面図である。
【図４】  一対の巻芯軸に巻回されたエッジワイズコイルを抜き取るときの状態を示す正断面図である。
【図５】  本発明の巻線装置によって巻回されたエッジワイズコイルを示す斜視図である。
【図６】  本発明による巻線装置の他の構成例によるエッジワイズコイルが巻回される一対の巻芯軸の上部に重錘が取り付けられた部分を示す側面図である。
【図７】  その構成例における回転軸の軸方向に穿設された断面偏平円状の孔部に２本の巻芯軸およびスペーサが挿入された状態を示す平面図である。
【符号の説明】
１  架台
３  回転軸
４  パルスモータ
６１  孔部
６２  孔部
７１  巻芯軸
７２  巻芯軸
９  重錘
１０  平角線
１１  受台
１２  おもり
１４  テンション機構部
１６  押え部材
１７  エッジワイズコイル
１８  スペーサ
【図１】
2005109420.tif 000003
【図２】
2005109420.tif 000004
【図３】
2005109420.tif 000005
【図４】
2005109420.tif 000006
【図５】
2005109420.tif 000007
【図６】
2005109420.tif 000008
【図７】
2005109420.tif 000009